(57)【要約】【課題】寒冷地の家庭で使用される燃料油ストーブ等の屋外に設置する燃料油タンクのゲージで、ゲージを取り付けるときに挿入時に充分な注意を払わなくとも正しい向きに取り付けられ、後からでも誰でもゲージが正しい向きに取り付けられているかどうかを確認できるようにする。【解決手段】取付座21の外周近傍に係合孔を設け、ゲージキャップ10にはソケット1aにかぶせたとき係合孔にはまり込む係合突起13を設け、ゲージキャップ10の取付部12側面に取付示標を設け、ゲージキャップ10の取付部12側面にその外周から内方向に向かう複数本の取付螺子15を設けた。【選択図】図６
0003110267.tif 000002
【実用新案登録請求の範囲】
【請求項１】
燃料油を貯蔵するタンクの上部に設けたゲージであり、ゲージはタンク上面の垂直方向を中心軸とする円筒形のソケットに取り付けられ、ゲージにはソケットにかぶせられるゲージキャップを設け、ゲージキャップはソケットより大な径の取付部によりソケットの外周にかぶせ、ソケットからタンク内へ挿入される支持杆を設け、支持杆の上部には丸い円板の取付座を設け、取付座の直径はソケットの外径とほぼ同じとしてソケットの上面に取付座が載せられ、支持杆の下端から上下方向に自由に回転する浮子杆を設け、浮子杆の先端に浮子を設け、支持杆に沿って示標杆を設け、浮子杆の上下回動により示標杆が上下動するゲージにおいて、取付座の外周近傍に係合孔を設け、ゲージキャップにはソケットにかぶせたとき係合孔にはまり込む係合突起を設け、ゲージキャップの取付部側面に取付示標を設け、ゲージキャップの取付部側面にその外周から内方向に向かう複数本の取付螺子を設けた燃料油タンクのゲージの取付示標。
【考案の詳細な説明】
【技術分野】
【０００１】
本考案は、寒冷地の家庭で使用される燃料油ストーブや暖房用ボイラー等の燃料油タンクで、主に屋外に設置する燃料油タンクのゲージの取付示標に関する。
【背景技術】
【０００２】
このような燃料油タンクのゲージは、燃料油タンクの給油口から燃料油を給油したときタンク内にどの程度の量の燃料油が給油されたかを示したり、燃料油タンクの送油口から燃料油が送油され使われたときタンク内にどの程度の量の燃料油が残っているかを示すためのものである。
【０００３】
そのような燃料油タンクでは、燃料油は自然落下でストーブやボイラーに供給されるため、タンクの底面がストーブやボイラーより高くなるよう設置される。また、設置場所の制約と必要量の確保のため、タンクの形状は薄く背が高くなっている。
【０００４】
そして、その上部に設けるゲージは上から覗いて見ることは不可能となり、側方から油量示標を見て確認できるよう、タンク上部から突出している。そのようなゲージはその突出した構造から、運送中の破損を防止するため、タンクを設置した後に取り付けられている。
【０００５】
この種の従来のゲージは、例えば実用新案登録第３０３８２２２号に示されるように、タンク上面の垂直方向を中心軸とする円筒形のソケットに取り付けられ、ゲージにはソケットより大な径の取付部を設け、取付部はソケットの外周にかぶせられ、その外周から内方向に向かう複数本の取付螺子によりソケットに取り付けていた。
【０００６】
また、支持杆の下端から上下方向に自由に回転する浮子杆を設け、浮子杆の先端に浮子を設け、支持杆に沿って示標杆を設け、浮子杆の上下回動により示標杆が上下動するようになっている。
【０００７】
そのゲージの取り付けは、タンクのソケットから支持杆および浮子杆や浮子などをタンク内へ挿入し、支持杆の上部の丸い円板である取付座をソケットの上面に載せ、ゲージキャップをソケットにかぶせて載せ取付座を挟み、複数本の取付螺子を締め付けて固定するものである。
【特許文献１】実用新案登録第３０３８２２２号
【考案の開示】
【考案が解決しようとする課題】
【０００８】
上記のような燃料油タンクを設置するのは、燃料油ストーブや暖房用ボイラーを取り付けるときに共に設置するのが主で、燃料油タンクを専門に設置する業者はほぼ存在しない。そして、ゲージを取り付けるのもストーブが専門のような者が行うので、充分な注意を払って取り付けているとは言い難い状態である。
【０００９】
上記のようなゲージの取り付けは、浮子杆が上下回動したとき浮子杆や浮子がタンク内壁に接触しないような正しい向きに取り付けなければならない。つまり、平面視で浮子杆がタンクの側面と平行となるよう取り付けなければならない。薄い形状のタンクであるほど接触の危険があるので、取り付けには注意を要する。
【００１０】
浮子杆や浮子が内壁と接触の危険があるのは浮子杆がほぼ水平のときであり、接触すると油量示標は作動せず約半分の量を指したまま止まってしまい、燃料油を給油するとき溢れさせたり、タンクに燃料油がまだ有ると思っているうちに空になり、厳冬期にストーブやボイラーが停止する危険がある。
【００１１】
しかし、支持杆までソケットから挿入してしまうと丸い円板である取付座しか見えず、正しい向きかどうか確認できない。そのため、挿入する前に正しい向きに合わせたなら、そのまま回転させないように注意して挿入しなければならなかった。
【００１２】
そこで本考案は、ゲージを取り付けるときに挿入時に充分な注意を払わなくとも正しい向きに取り付けられ、後からでも誰でもゲージが正しい向きに取り付けられているかどうかを確認でき、安全で正確な油量を示す燃料油タンクを提供することを目的とする。
【課題を解決するための手段】
【００１３】
本考案の燃料油タンクのゲージの取付示標は、燃料油を貯蔵するタンク１の上部に設けたゲージ３であり、ゲージ３はタンク上面の垂直方向を中心軸とする円筒形のソケット1aに取り付けられ、ゲージ３にはソケット1aにかぶせられるゲージキャップ10を設け、ゲージキャップ10はソケット1aより大な径の取付部12によりソケット1aの外周にかぶせ、ソケット1aからタンク１内へ挿入される支持杆20を設け、支持杆20の上部には丸い円板の取付座21を設け、取付座21の直径はソケット1aの外径とほぼ同じとしてソケット1aの上面に取付座21が載せられ、支持杆20の下端から上下方向に自由に回転する浮子杆30を設け、浮子杆30の先端に浮子31を設け、支持杆20に沿って示標杆40を設け、浮子杆30の上下回動により示標杆40が上下動するゲージ３において、取付座21の外周近傍に係合孔22を設け、ゲージキャップ10にはソケット1aにかぶせたとき係合孔22にはまり込む係合突起13を設け、ゲージキャップ10の取付部12側面に取付示標14を設け、ゲージキャップ10の取付部12側面にその外周から内方向に向かう複数本の取付螺子15を設けたものである。
【考案の効果】
【００１４】
本考案によれば、取付座の外周近傍に係合孔を設け、ゲージキャップにはソケットにかぶせたとき係合孔にはまり込む係合突起を設け、ゲージキャップの取付部側面に取付示標を設け、ゲージキャップの取付部側面にその外周から内方向に向かう複数本の取付螺子を設け、取付示標の向きと浮子杆の向きは連動し、取付示標を見ながら取付螺子を締め付けることができるから、ゲージの挿入時に充分な注意を払わなくとも正しい向きに取り付けられ、後からでも誰でもゲージが正しい向きに取り付けられているかどうかを確認でき、安全で正確な油量を示す燃料油タンクを提供できる。
【考案を実施するための最良の形態】
【００１５】
取付示標14の向きと浮子杆30の向きを連動させるため、取付座21の外周近傍に係合孔22を設け、ゲージキャップ10にはソケット1aにかぶせたとき係合孔22にはまり込む係合突起13を設け、ゲージキャップ10の取付部12側面に取付示標14を設けた。
【００１６】
また、取付示標を見ながら取付螺子を締め付けることができるようにするため、ゲージキャップ10の取付部12側面にその外周から内方向に向かう複数本の取付螺子15を設けた。
【実施例１】
【００１７】
以下、本考案の一実施例につき図面を参照して説明する。
【００１８】
図１に示す燃料油タンクは、約５００リットルの灯油を貯蔵する家庭用の屋外に設置されるもので、燃料油を貯蔵する略立方体のタンク１と、その両端に設けた４本の脚２と、その上部に設けた密閉できるキャップ付きの給油口４と、その下部に設けたバルブとストレーナーからなる送油口６と、その上部に設けたエアー抜き５と、その上部に設けた燃料油の量を計測するゲージ３とからなる。
【００１９】
脚２はその下端を束石８により設置される地面Ｅに固定され、タンク１が地震などで転倒しないようにする。
【００２０】
送油口６には燃料油ストーブ等と送油管７で連結され、燃料油はその自重により送油される。
【００２１】
エアー抜き５は、中空なパイプでタンク１内と外気とを連通させるものである。
【００２２】
タンク１上面には垂直方向を中心軸とする円筒形のソケット1aを設け、ソケット1aにゲージ３が取り付けられる。ソケット1aはタンク１上面の孔にはめ込まれ、その取り付け面は雨水が侵入しないよう溶接により固定されている。ソケット1aは中空なパイプでタンク１内と外部と連通している。
【００２３】
ゲージ３には垂直方向に長い支持杆20を設け、支持杆20の上部には丸い円板の取付座21固定する。取付座21の直径はソケット1aの外径とほぼ同じとし、ソケット1aの上面に取付座21が載せられ、支持杆20はソケット1aからタンク１内へ挿入される。また、取付座21の外周近傍でソケット1aと重ならない位置に係合孔22を設ける。実施例では係合孔22を浮子杆30の方向とした。
【００２４】
支持杆20の下端から短い連結杆32を介して、上下方向に自由に回転する浮子杆30を設け、浮子杆30の先端には浮子31を設ける。浮子31は燃料油より低い比重の中空体で、燃料油に浮いて油面高さを検出し、浮子31の上下により浮子杆30が上下に回動する。
【００２５】
支持杆20に沿って上下に長く取付座21の中心の小孔を通ってその上にまで突出した示標杆40を設け、示標杆40は支持杆20に沿って自由に上下動し、示標杆40の上端にはその高さ方向の位置が解るように円板状に大きくなった油量示標41を取り付け、示標杆40の下端部は浮子杆30の根元付近と連設されていて浮子杆30の上下回動により示標杆40が上下動する。つまり、燃料油の油面高さにより示標杆40が上下動して油量示標41で燃料油の量を示す。
【００２６】
ソケット1aにかぶせて載せ、取付座21を挟み固定するゲージキャップ10を設ける。
【００２７】
ゲージキャップ10の上部は、小径円筒形状かつ透明でその内側に油量示標41が充分に上下動できる空間を設けた目盛部11とし、目盛部11表面には油量示標41に対応する位置に目盛りを設ける。
【００２８】
ゲージキャップ10の下部は、ソケット1aより大な径とした円筒形状の取付部12とし、取付部12をソケット1aの外周にかぶせる。
【００２９】
ゲージキャップ10には目盛部11の下端内側から下向きに、ソケット1aにかぶせたとき係合孔22にはまり込む係合突起13を設け、係合突起13の径は係合孔22の径より僅かに細くする。
【００３０】
ゲージキャップ10の取付部12側面から上面にかけて一本の線である取付示標14を設ける。実施例では、取付示標14は平面視で係合突起13と９０度の角度をなし、タンク１の真正面側となる方向とした。
【００３１】
ゲージキャップ10の取付部12側面には取付示標14をかわした位置でその外周から内方向に向かう等間隔で複数本（実施例では３本）の取付螺子15を設ける。取付螺子15は締め込むと内方向に向けて進み出て、ゲージキャップ10をソケット1aに固定する。
【００３２】
取付部12の内側上部とソケット1aの間にドーナツ状のパッキン16を設け、パッキン16は取付部12とソケット1aに密着して雨水などの侵入を防止する。
【００３３】
以上の実施例では、係合孔22と係合突起13を浮子杆30の方向とした例を示したが、係合突起13はソケット1aにかぶせたとき係合孔22にはまり込めば良く、取付示標14を浮子杆30に対して所定の向きとできれば良い。
【００３４】
また、取付示標14をタンク１の真正面側となる例を示したが、取付示標14を向ける所定方向が明示されれば良く例えばエアー抜き５の方向としても良い。
【００３５】
また、示標杆40の上端に直接油量示標41を取り付けた例を示したが、示標杆40とリンク機構で連結された油量を示す針状の示標としても良い。
【図面の簡単な説明】
【００３６】
【図１】燃料油タンクのゲージの取付示標の一実施例を示す正面図である。
【図２】その側面図である
【図３】図１の一部を切り欠いた要部を示す部分拡大図である。
【図４】図３の部分拡大図である。
【図５】図４の平面図である。
【図６】図４の断面図である。
【図７】図５のゲージキャップ10を取り外した図である。
【符号の説明】
【００３７】
１  タンク
1a  ソケット
３  ゲージ
10  ゲージキャップ
12  取付部
13  係合突起
14  取付示標
15  取付螺子
20  支持杆
21  取付座
22  係合孔
30  浮子杆
31  浮子
40  示標杆
【図１】
0003110267.tif 000003
【図２】
0003110267.tif 000004
【図３】
0003110267.tif 000005
【図４】
0003110267.tif 000006
【図５】
0003110267.tif 000007
【図６】
0003110267.tif 000008
【図７】
0003110267.tif 000009